(57)【要約】【課題】撮像装置の操作性を向上させる。【解決手段】撮像装置１０の本体側操作部１２にズーム操作部１２３や静止画撮影で用いるシャッター操作部１２４を設ける。開閉自在に設けられたパネル表示部４０にパネル側操作部４２を設け、パネル側操作部４２には、ズーム操作部４２３や静止画撮影で用いるシャッター操作部４２４を設ける。本体側操作部１２あるいはパネル側操作部４２を操作して、ズーム動作や静止画撮影を行うことができるので、操作性を向上できる。【選択図】        図２
2006005579.tif 000002
【特許請求の範囲】
【請求項１】
開閉自在なパネル表示部を有する撮像装置において、
前記撮像装置の本体側に第１の操作部を設け、前記パネル表示部に第２の操作部を設け、
前記第１の操作部と前記第２の操作部に等しい操作機能を持たせた
ことを特徴とする撮像装置。
【請求項２】
前記等しい操作機能は、ズーム操作機能である
ことを特徴とする請求項１記載の撮像装置。
【請求項３】
前記等しい操作機能は、静止画撮影におけるシャッター操作機能である
ことを特徴とする請求項１記載の撮像装置。
【発明の詳細な説明】
【技術分野】
【０００１】
この発明は撮像装置に関する。詳しくは、開閉自在なパネル表示部を有する撮像装置の本体側に第１の操作部を設け、パネル表示部に第２の操作部を設けるものとして、第１の操作部と第２の操作部に等しい機能を持たせることで、操作性を向上させるものである。
【背景技術】
【０００２】
従来、動画撮影や静止画撮影を手軽に楽しめることができる撮像装置が普及している。この撮像装置にはズーム機能が設けられており、ズーム機能を用いることで被写体を所望の大きさで容易に撮影できる。ズーム機能は、モータの回転を利用して、複数群の撮影レンズを所定の光学的関係を保ちながら光軸方向に進退させることで、レンズ交換を行わなくとも撮影レンズの焦点距離を広角域から望遠域まで連続的に変更可能とすることで実現されている。例えば、特許文献１のズーム装置付きカメラでは、ＴＷズーム操作部とＴＷダイレクト操作部が設けられており、ＴＷズーム操作部が操作されたときにはズーム動作を行い、ＴＷダイレクト操作部が操作されたときには、テレ端やワイド端に直接的に撮像レンズを移動させることが行われている。
【０００３】
また、静止画撮影を行う場合には、スチルカメラ等のように、シャッター操作部が半押し状態とされたときに、自動的にフォーカスや露出などカメラ設定パラメータを調整することを可能とし、シャッター操作部の深押し操作が行われたとき、カメラ設定パラメータを確定して静止画を撮影できるようになされている。
【０００４】
【特許文献１】特許第２６５２８９１号公報
【発明の開示】
【発明が解決しようとする課題】
【０００５】
ところで、ズーム機能を用いる際に操作されるズーム操作部や静止画撮影を行う際に操作されるシャッター操作部は、撮像装置を片手で支持している状態であっても、容易に操作ができるように、支持している手の親指や人差し指等で操作可能な位置に設けられている。しかし、撮像装置のユーザは様々であり、例えば手の大きい人や小さい人にとっては、ズーム操作部やシャッター操作部の位置が操作しやすい位置とならなくなってしまう場合が生ずる。また、撮像装置が右手で支持するように設計されている場合、利き手が左手である人にとっては、ズーム操作部やシャッター操作部の操作がやりにくい。
【０００６】
そこで、この発明では、操作性を向上させた撮像装置を提供するものである。
【課題を解決するための手段】
【０００７】
この発明に係る撮像装置は、開閉自在なパネル表示部を有する撮像装置において、撮像装置の本体側に第１の操作部を設け、前記パネル表示部に第２の操作部を設け、第１の操作部と前記第２の操作部に等しい操作機能を持たせたものである。また、等しい操作機能として、ズーム操作機能や静止画撮影におけるシャッター操作機能が設定されたものである。
【発明の効果】
【０００８】
この発明によれば、撮像装置の本体側に第１の操作部が設けられ、パネル表示部に第２の操作部が設けられて、第１の操作部と第２の操作部に等しい操作機能が持たせられる。また、等しい操作機能として、ズーム操作機能や静止画撮影におけるシャッター操作機能が設定される。このため、例えば撮像装置を右手で保持している状態で第１の操作部を右手の指で操作してズーム操作やシャッター操作を行うことが容易でない場合、第２の操作部を左手の指で操作してズーム操作やシャッター操作を行うことができるので、撮像装置の操作性を向上できる。
【発明を実施するための最良の形態】
【０００９】
以下、図を参照しながら、この発明の実施の一形態について説明する。図１は、撮像装置１０の外観を示しており、図１Ａは左後方、図１Ｂは右後方からそれぞれ撮像装置１０を見下ろした場合を示している。
【００１０】
撮像装置１０の本体後面側には、撮像装置１０の動作を開始あるいは終了するための電源スイッチ１２１が設けられている。また、電源スイッチ１２１では、動画像を記録する動画モード、静止画像を記録する静止画モード、記録された動画像あるいは静止画像を再生する再生モード等の動作モード切り換えも行われる。
【００１１】
撮像装置１０の本体右側面の後端には、動画像記録動作を開始あるいは終了させるための録画スタート／ストップスイッチ１２２が設けられている。また、撮像装置１０の本体右側面の前方側には、本体側ズーム操作部１２３と静止画像の記録時に操作する本体側シャッター操作部１２４が設けられている。
【００１２】
撮像装置１０の本体上部には電子ビューファインダー（以下「ＥＶＦ」という）３１が設けられており、本体左側面には、開閉自在にパネル表示部４０が設けられている。パネル表示部４０は、平面ディスプレイ４１例えば液晶表示素子等を用いて構成される。また、支持側とは逆側の外枠部分にパネル側ズーム操作部４２３が設けられており、パネル側ズーム操作部４２３の下側には、パネル側シャッター操作部４２４が設けられている。
【００１３】
撮像装置１０は、電源スイッチ１２１が動画モードに設定された状態において、録画スタート／ストップスイッチ１２２が押されたときは被写体の動画像記録動作を開始し、録画スタート／ストップスイッチ１２２が再度押されたときは動画像記録動作を終了するようになされている。また、撮像画像は、ＥＶＦ３１および／またはパネル表示部４０に表示される。例えばパネル表示部４０が閉状態とされているときは、ＥＶＦ３１に撮像画像が表示される。また、パネル表示部４０が図１に示すように開状態とされているときは、パネル表示部４０の平面ディスプレイ４１に撮像画像が表示される。なお、パネル表示部４０が開状態とされているときは、ＥＶＦ３１にも撮像画像を表示するものとしても良い。
【００１４】
電源スイッチ１２１が静止画モードに設定された状態において、本体側シャッター操作部１２４あるいはパネル側シャッター操作部４２４が半押し状態とされたときは、フォーカスや露出等を自動的に調整するようになされている。さらに、本体側シャッター操作部１２４あるいはパネル側シャッター操作部４２４が深押しされたタイミングで被写体の静止画像記録を行うようになされている。
【００１５】
電源スイッチ１２１が再生モードに設定された状態において、再生モードの指定操作が行われると、指定された再生モードに応じて動画像や静止画像の再生が行われる。例えば、平面ディスプレイ４１の画面上にタッチパネルスイッチ４２５が設けられており、電源スイッチ１２１が再生モードに設定されたときには、パネル表示部４０に再生メニュー表示が行われて、この表示から何れかの再生モードを指定する操作が行われたことが、タッチパネルスイッチ４２５からの操作信号で示されたとき、この指定された再生モードとして、動画像や静止画像の再生を行う。
【００１６】
電源スイッチ１２１が動画モードあるいは静止画モードに設定された状態で、撮像画像がＥＶＦ３１やパネル表示部４０に表示されているとき、本体側ズーム操作部１２３やパネル側ズーム操作部４２３のワイドスイッチＷＺ-Pが操作されたときは、撮像画像の画角が広くなるように撮像レンズが駆動される。また、本体側ズーム操作部１２３やパネル側ズーム操作部４２３のテレスイッチＴＺ-Pが操作されたときには、被写体を大きく表示するように撮像レンズが駆動される。
【００１７】
図２は、撮像装置１０の内部概略構成を示している。撮像部２２の撮像面上には、撮像レンズ部２１によって被写体像が結像される。なお、撮像レンズ部２１は、後述するレンズ駆動部２７や制御部２８によって駆動される。撮像部２２は被写体像を電気信号に変換して信号処理部２３に出力する。信号処理部２３は撮像部２２から供給された信号を処理して、記録再生部２４に出力する。記録再生部２４は信号処理部２３から供給された映像信号を記録媒体２５に記録する。なお、音声は図示せぬマイクロホンによって集音され、マイクロホンで得られた音声信号が記録再生部２４に入力されて、記録再生部２４によって映像信号とともに記録媒体２５に記録される。なお、記録媒体２５としては磁気テープや光ディスクあるいは半導体メモリ等が用いられる。また、動画像と静止画像は同じ記録媒体あるいは異なる記録媒体に記録される。
【００１８】
記録再生部２４は信号処理部２３から供給された映像信号あるいは記録媒体２５から読み出した映像信号を出力切換部２６に供給する。出力切換部２６は、記録再生部２４から供給された映像信号をＥＶＦ３１あるいはパネル表示部４０の平面ディスプレイ４１に供給する。ＥＶＦ３１やパネル表示部４０の平面ディスプレイ４１は、出力切換部２６を介して供給された映像信号に基づき、撮像中の画像あるいは記録媒体に記録した動画像や静止画像を表示する。また、レンズ駆動部２７は、撮像レンズ部２１を駆動して、被写体像の結像位置を変えることなく倍率を可変してズーム動作を行う。
【００１９】
本体側操作部１２は、上述の電源スイッチ１２１や録画スタート／ストップスイッチ１２２，本体側ズーム操作部１２３，本体側シャッター操作部１２４等で構成されており、各スイッチ操作に応じた操作信号を生成して制御部２８に供給する。また、パネル側操作部４２は、パネル側ズーム操作部４２３，パネル側シャッター操作部４２４，タッチパネルスイッチ４２５等で構成されており、各スイッチ操作に応じた操作信号を生成して制御部２８に供給する。パネル開閉検出部１３は、パネル表示部４０が開状態であるか閉状態であるかを検出して、検出結果を示す検出信号を生成して制御部２８に供給する。
【００２０】
マイクロコンピュータ等を用いて構成された制御部２８は、本体側操作部１２やパネル側操作部４２からの操作信号およびパネル開閉検出部１３からの検出信号に基づき制御信号ＣＳを生成する。さらに、生成した制御信号ＣＳを撮像レンズ部２１や撮像部２２，信号処理部２３，記録再生部２４，出力切換部２６に供給して、本体側操作部１２やパネル側操作部４２の操作に応じた動作が行われるように各部の動作を制御する。また、制御部２８は、パネル開閉検出部１３からの検出信号によって、パネル表示部４０が閉状態であると判別したとき、パネル側操作部４２からの操作信号を無効とする。このように、パネル表示部４０が閉状態であるとき、パネル側操作部４２からの操作信号を無効とすることで、パネル側ズーム操作部４２３等が他の部分と当接して操作部が誤って操作されても、ズーム動作やシャッター操作が行われてしまうことを防止できる。
【００２１】
図３は、本体側ズーム操作部１２３とパネル側ズーム操作部４２３それぞれを使用可能としたときのズーム動作を示すフローチャートである。
【００２２】
ステップＳＴ１で制御部２８は本体側ズーム操作部１２３のワイドスイッチＷＺ-Bが操作されてオン状態となったか否かを判別する。ここで、ワイドスイッチＷＺ-Bが操作されてオン状態とされたときにはステップＳＴ５に進み、オン状態とされていないときはステップＳＴ２に進む。
【００２３】
ステップＳＴ２で制御部２８は本体側ズーム操作部１２３のテレスイッチＴＺ-Bが操作されてオン状態となったか否かを判別する。ここで、テレスイッチＴＺ-Bが操作されてオン状態とされたときにはステップＳＴ６に進み、オン状態とされていないときはステップＳＴ３に進む。
【００２４】
ステップＳＴ３で制御部２８はパネル側ズーム操作部４２３のワイドスイッチＷＺ-Pが操作されてオン状態となったか否かを判別する。ここで、ワイドスイッチＷＺ-Pが操作されてオン状態とされたときにはステップＳＴ５に進み、オン状態とされていないときはステップＳＴ４に進む。
【００２５】
ステップＳＴ４で制御部２８はパネル側ズーム操作部４２３のテレスイッチＴＺ-Pが操作されてオン状態となったか否かを判別する。ここで、テレスイッチＴＺ-Pが操作されてオン状態とされたときにはステップＳＴ６に進み、オン状態とされていないときはズーム動作を終了する。
【００２６】
ステップＳＴ５で制御部２８は、被写体像の結像位置を変えることなく倍率が低くなるようにレンズ駆動部２７によって撮像レンズ部２１を駆動することで、撮像画像の画角が広くなるようにズームワイド動作を行ったのちズーム動作を終了する。ステップＳＴ６で制御部２８は、被写体像の結像位置を変えることなく倍率が高くなるようにレンズ駆動部２７によって撮像レンズ部２１を駆動して、撮像画像の被写体サイズが大きくなるようにズームテレ動作を行ったのちズーム動作を終了する。
【００２７】
次に、本体側シャッター操作部１２４とパネル側シャッター操作部４２４を、それぞれを使用可能としたときの静止画撮影動作について、図４のフローチャートを用いて説明する。
【００２８】
ステップＳＴ１１で制御部２８は本体側シャッター操作部１２４が操作されて深押し状態となったか否かを判別する。ここで、本体側シャッター操作部１２４が深押し状態とされたときにはステップＳＴ１５に進み、深押し状態とされていないときはステップＳＴ１２に進む。
【００２９】
ステップＳＴ１２で制御部２８はパネル側シャッター操作部４２４が操作されて深押し状態となったか否かを判別する。ここで、パネル側シャッター操作部４２４が深押し状態とされたときにはステップＳＴ１５に進み、深押し状態とされていないときはステップＳＴ１３に進む。
【００３０】
ステップＳＴ１３で制御部２８は本体側シャッター操作部１２４が操作されて半押し状態となったか否かを判別する。ここで、本体側シャッター操作部１２４が半押し状態とされたときにはステップＳＴ１６に進み、半押し状態とされていないときはステップＳＴ１４に進む。
【００３１】
ステップＳＴ１４で制御部２８はパネル側シャッター操作部４２４が操作されて半押し状態となったか否かを判別する。ここで、パネル側シャッター操作部４２４が半押し状態とされたときにはステップＳＴ１６に進み、半押し状態とされていないときは処理を終了する。
【００３２】
ステップＳＴ１１あるいはステップＳＴ１２からステップＳＴ１５に進むと、制御部２８は、記録再生部２４を制御して、本体側シャッター操作部１２４あるいはパネル側シャッター操作部４２４が深押し状態とされたタイミングの映像信号を１画面分だけ記録媒体２５に記録して処理を終了する。また、ステップＳＴ１３あるいはステップＳＴ１４からステップＳＴ１６に進むと、制御部２８は、撮像レンズ部２１やレンズ駆動部２７等を制御して、本体側シャッター操作部１２４あるいはパネル側シャッター操作部４２４が半押し状態とされたときに、フォーカスや露出などを自動的に調整して処理を終了する。
【００３３】
なお、上述の形態におけるズーム動作では、レンズ駆動部２７によって撮像レンズ部２１を駆動するものとしたが、所謂電子ズームとよばれているように、映像信号を処理して例えば被写体を大きく表示するものとしても良い。
【００３４】
このように、ズーム操作部やシャッター操作部を本体側だけでなく、パネル表示部側にも設けたことにより、例えば、本体側に設けた本体側ズーム操作部１２３のワイドスイッチＷＺ-BやテレスイッチＴＺ-B，本体側シャッター操作部１２４を、撮像装置１０を支持している手の指で容易に操作することができない場合が生じても、他方の手でパネル表示部４０に設けたパネル側ズーム操作部４２３のワイドスイッチＷＺ-PやテレスイッチＴＺ-P，パネル側シャッター操作部４２４を操作することで、ズーム動作や静止画像の記録を容易に行うことができる。
【産業上の利用可能性】
【００３５】
以上のように、本発明にかかる撮像装置は、ズーム動作や静止画撮影を行う際の操作性向上に適している。
【図面の簡単な説明】
【００３６】
【図１】撮像装置の外観を示す図である。
【図２】撮像装置の内部概略構成を示す図である。
【図３】ズーム動作を示すフローチャートである。
【図４】静止画撮影動作を示すフローチャートである。
【符号の説明】
【００３７】
１０・・・撮像装置、１２・・・本体側操作部、１３・・・パネル開閉検出部、２１・・・撮像レンズ部、２２・・・撮像部、２３・・・信号処理部、２４・・・記録再生部、２５・・・記録媒体、２６・・・出力切換部、２７・・・レンズ駆動部、２８・・・制御部、３１・・・電子ビューファインダー（ＥＶＦ）、４０・・・パネル表示部、４１・・・平面ディスプレイ、４２・・・パネル側操作部、１２１・・・電源スイッチ、１２２・・・録画スタート／ストップスイッチ、１２３・・・本体側ズーム操作部、１２４・・・本体側シャッター操作部、４２３・・・パネル側ズーム操作部、４２４・・・パネル側シャッター操作部、４２５・・・タッチパネルスイッチ
【図１】
2006005579.tif 000003
【図２】
2006005579.tif 000004
【図３】
2006005579.tif 000005
【図４】
2006005579.tif 000006